(57)【要約】【課題】複数のスピーカから音声が出力される場合に、音声を聞くタイミングが遅くなってしまうことを回避しつつ、音声から放送内容を認識しやすくすることが可能な技術を提供する。【解決手段】親局装置と複数の子局装置と複数の子局装置それぞれに固有のスピーカとを有する放送システムであって、前記親局装置は、入力装置から入力されたテキストデータを複数の子局装置それぞれに送信し、前記複数の子局装置それぞれは、前記親局装置から前記テキストデータを受信し、前記テキストデータに基づいて互いに声色が異なる音声を合成し、合成した前記音声が前記固有のスピーカから出力されるように制御する、放送システムが提供される。【選択図】図１
2020036138.tif 000002
【特許請求の範囲】
【請求項１】
親局装置と複数の子局装置と複数の子局装置それぞれに固有のスピーカとを有する放送システムであって、
前記親局装置は、入力装置から入力されたテキストデータを複数の子局装置それぞれに送信し、
前記複数の子局装置それぞれは、前記親局装置から前記テキストデータを受信し、前記テキストデータに基づいて互いに声色が異なる音声を合成し、合成した前記音声が前記固有のスピーカから出力されるように制御する、
放送システム。
【請求項２】
前記入力装置は、操作者から入力された操作または発話に基づいて、前記テキストデータを生成する、
請求項１に記載の放送システム。
【請求項３】
親局装置と複数の子局装置と複数の子局装置それぞれに固有のスピーカとを有する放送システムであって、
前記親局装置は、入力装置から入力されたコードを複数の子局装置それぞれに送信し、
前記複数の子局装置それぞれは、前記親局装置から前記コードを受信し、前記コードに対応する互いに声色が異なる音声を取得し、取得した前記音声が前記固有のスピーカから出力されるように制御する、
放送システム。
【請求項４】
前記入力装置は、操作者から入力された操作または発話に基づいて、前記コードを生成する、
請求項３に記載の放送システム。
【請求項５】
前記複数の子局装置それぞれに固有のスピーカは、所定の範囲内に存在する７つのスピーカを含む、
請求項１〜４のいずれか一項に記載の放送システム。
【請求項６】
前記所定の範囲は、中央領域と前記中央領域に隣接する６つの周辺領域を含み、
前記７つのスピーカは、前記中央領域および前記６つの周辺領域にそれぞれに存在するスピーカである、
請求項５に記載の放送システム。
【発明の詳細な説明】
【技術分野】
【０００１】
本発明は、放送システムに関するものである。
【背景技術】
【０００２】
近年、複数のスピーカを備える放送システムに関する技術が知られている。例えば、複数のスピーカを備える放送システムにおいて、テキストデータに基づいて音声を合成し、合成した音声を選択されたスピーカから出力する技術が記載されている（例えば、特許文献１参照）。また、遊技場に設置されるスピーカから出力される音声の声色を、放送の都度変更する技術が開示されている（例えば、特許文献２参照）。
【０００３】
さらに、防災行政無線において、複数のスピーカから出力される音声が干渉してしまう状況を回避するために、複数のスピーカから音声が出力されるタイミングをずらす技術が開示されている（例えば、特許文献３参照）。かかる技術においては、１つのスピーカから音声出力が開始されると、音声出力開始から音声出力終了までの時間（放送時間）よりも長い時間経過した後に、次のスピーカから音声出力が開始される。このようにして、複数のスピーカから音声が順次に出力される。
【先行技術文献】
【特許文献】
【０００４】
【特許文献１】特開平６−１２５３１７号公報
【特許文献２】特開平９−１６４２６３号公報
【特許文献３】特開平６−２５２８６６号公報
【発明の概要】
【発明が解決しようとする課題】
【０００５】
しかしながら、複数のスピーカから順次に音声を出力する技術を用いた場合には、音声出力が開始されるタイミングが遅くなってしまうスピーカが存在し得る。一例として、音声出力が開始されるタイミングが遅いスピーカの周囲に存在する人にとっては、音声を聞くのが遅くなってしまうため、特に緊急性のある音声（あるいは、より早く聞くのが望ましい音声）が放送される場合には不都合が生じ得る。
【０００６】
そこで、本発明は、上記問題に鑑みてなされたものであり、複数のスピーカから音声が出力される場合に、音声を聞くタイミングが遅くなってしまうことを回避しつつ、音声から放送内容を認識しやすくすることが可能な技術を提供する。
【課題を解決するための手段】
【０００７】
上記問題を解決するために、本発明のある観点によれば、親局装置と複数の子局装置と複数の子局装置それぞれに固有のスピーカとを有する放送システムであって、前記親局装置は、入力装置から入力されたテキストデータを複数の子局装置それぞれに送信し、前記複数の子局装置それぞれは、前記親局装置から前記テキストデータを受信し、前記テキストデータに基づいて互いに声色が異なる音声を合成し、合成した前記音声が前記固有のスピーカから出力されるように制御する、放送システムが提供される。
【０００８】
前記入力装置は、操作者から入力された操作または発話に基づいて、前記テキストデータを生成してもよい。
【０００９】
また、本発明の他の観点によれば、親局装置と複数の子局装置と複数の子局装置それぞれに固有のスピーカとを有する放送システムであって、前記親局装置は、入力装置から入力されたコードを複数の子局装置それぞれに送信し、前記複数の子局装置それぞれは、前記親局装置から前記コードを受信し、前記コードに対応する互いに声色が異なる音声を取得し、取得した前記音声が前記固有のスピーカから出力されるように制御する、放送システムが提供される。
【００１０】
前記入力装置は、操作者から入力された操作または発話に基づいて、前記コードを生成してもよい。
【００１１】
前記複数の子局装置それぞれに固有のスピーカは、所定の範囲内に存在する７つのスピーカを含んでもよい。
【００１２】
前記所定の範囲は、中央領域と前記中央領域に隣接する６つの周辺領域を含み、前記７つのスピーカは、前記中央領域および前記６つの周辺領域にそれぞれに存在するスピーカであってもよい。
【発明の効果】
【００１３】
以上説明したように本発明によれば、複数のスピーカから音声が出力される場合に、音声を聞くタイミングが遅くなってしまうことを回避しつつ、音声から放送内容を認識しやすくすることが可能な技術が提供される。
【図面の簡単な説明】
【００１４】
【図１】本発明の実施形態に係る放送システムの構成例を示した説明図である。
【図２】親局の機能構成例を示すブロック図である。
【図３】子局の機能構成例を示すブロック図である。
【図４】放送システムを実現するための第１の例の動作を示す図である。
【図５】放送システムを実現するための第２の例の動作を示す図である。
【発明を実施するための形態】
【００１５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１６】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１７】
（０．概要）
本発明の実施形態の概要について説明する。近年、複数のスピーカを備える放送システムに関する技術が知られている。例えば、防災行政無線において、複数のスピーカから出力される音声が干渉してしまう状況を回避するために、複数のスピーカから音声が出力されるタイミングをずらす技術が開示されている。かかる技術においては、１つのスピーカから音声出力が開始されると、音声出力開始から音声出力終了までの時間（放送時間）よりも長い時間経過した後に、次のスピーカから音声出力が開始される。このようにして、複数のスピーカから音声が順次に出力される。
【００１８】
しかしながら、複数のスピーカから順次に音声を出力する技術を用いた場合には、音声出力が開始されるタイミングが遅くなってしまうスピーカが存在し得る。一例として、音声出力が開始されるタイミングが遅いスピーカの周囲に存在する人にとっては、音声を聞くのが遅くなってしまうため、特に緊急性のある音声（あるいは、より早く聞くのが望ましい音声）が放送される場合には不都合が生じ得る。
【００１９】
そこで、本明細書においては、複数のスピーカから音声が出力される場合に、音声を聞くタイミングが遅くなってしまうことを回避しつつ、音声から放送内容を認識しやすくすることが可能な技術について主に提案する。
【００２０】
以上、本発明の実施形態の概要について説明した。
【００２１】
（１．放送システムの構成）
続いて、図１を参照しながら、本発明の実施形態に係る放送システムの構成例について説明する。図１は、本発明の実施形態に係る放送システムの構成例を示した説明図である。図１に示したように、本発明の実施形態に係る放送システム１は、入力装置１０と、親局装置（以下、単に「親局」とも言う。）２０と、子局装置（以下、単に「子局」とも言う。）３０−１〜３０−７と、スピーカ４０−１〜４０−７とを有する。操作者は、放送すべき状況が生じた場合、放送内容自体または放送内容を識別するための識別情報（以下、単に「コード」とも言う。）を操作または発話によって入力する。
【００２２】
入力装置１０は、操作者から入力された操作または発話に基づいてデータを生成する。ここで、操作が入力される機器は限定されない。例えば、操作が入力される機器は、キーボードであってよい。また、発話が入力される機器も限定されない。例えば、発話が入力される機器は、マイクロフォンであってよい。入力装置１０は、操作者から操作が入力された場合、操作に対応するデータを生成し、操作者から発話が入力された場合、発話に対する音声認識によってデータを生成する。
【００２３】
入力装置１０によって生成されるデータは、放送内容自体に相当するテキストデータまたはコードであり得る。後の説明において、テキストデータが用いられる例を「第１の例」として説明し、コードが用いられる例を「第２の例」として説明する。入力装置１０は、親局２０と接続されている。ここでは、入力装置１０が親局２０と有線によって接続されている場合を想定する。しかし、入力装置１０は、無線によって親局２０と接続されていてもよい。入力装置１０は、生成したデータを親局２０に出力する。
【００２４】
親局２０には、入力装置１０によって生成されたデータが入力される。親局２０は、入力装置１０から入力されたデータを子局３０−１〜３０−７に送信する。本発明の実施形態では、親局２０が、アンテナ２３０を有し、入力装置１０から入力されたデータを、アンテナ２３０を介して無線によって子局３０−１〜３０−７に送信する場合を主に想定する。しかし、親局２０は、入力装置１０から入力されたデータを有線によって子局３０−１〜３０−７に送信してもよい。
【００２５】
子局３０−１〜３０−７それぞれは、親局２０から送信されたデータを受信する。本発明の実施形態では、子局３０−１〜３０−７それぞれが、自局に固有のアンテナを有し（子局３０−１は、アンテナ３１０−１を有し、子局３０−２は、アンテナ３１０−２を有し、・・・、子局３０−７は、アンテナ３１０−７を有し）、親局２０から送信されたデータを、アンテナを介して無線によって受信する場合を想定する。しかし、子局３０−１〜３０−７は、親局２０から送信されたデータを、有線によって受信してもよい。
【００２６】
子局３０は、自局に固有のスピーカ４０と接続され（子局３０−１は、スピーカ４０−１と接続され、子局３０−２は、スピーカ４０−２と接続され、・・・、子局３０−７は、スピーカ４０−７と接続され）、親局２０から受信したデータに対応する音声が、自局に固有のスピーカ４０（自局に対応するスピーカ４０）から出力されるようにスピーカ４０を制御する。なお、本発明の実施形態では、スピーカ４０−１〜４０−７が子局３０−１〜３０−７の外部に存在する場合を主に想定するが、スピーカ４０−１〜４０−７は、子局３０−１〜３０−７に含まれてもよい。
【００２７】
このとき、子局３０−１〜３０−７は、互いに声色が異なる音声が自局に固有のスピーカ４０−１〜４０−７から出力されるように制御する。かかる構成によれば、スピーカ４０−１〜４０−７それぞれから音声が出力される場合であっても、音声を聞くタイミングが遅くなってしまうことを回避しつつ、音声から放送内容を認識しやすくすることが可能となる。
【００２８】
より具体的に、かかる構成によれば、エリアＲ１に存在する人は、スピーカ４０−１〜４０−７それぞれから出力された音声を同時に聞いたとしても、音声の声色の違いによってスピーカ４０−１から出力された音声から放送内容を認識しやすくなる。したがって、エリアＲ１に存在する人にとって、スピーカ４０−１から出力された音声を聞くタイミングが遅くなってしまうことを回避しつつ、スピーカ４０−１から出力された音声から放送内容を認識しやすくすることが可能となる。
【００２９】
なお、音声の声色は、音声を出力する全スピーカにおいて互いに異なっていてもよい。しかし、音声の声色の種類を際限なく増やし続けるのは困難である。一方、音声は減衰しながら空気中を伝搬するために音声の到達距離には限界がある。そこで、出力される音声の声色は、所定の範囲内に存在するスピーカにおいて互いに異なっていればよい（すなわち、所定の範囲内と所定の範囲外との間において、同じ声色の音声を出力するスピーカが存在していてもよい）。
【００３０】
図１に示した例では、所定の範囲がエリアＲ１〜Ｒ７に分けられている。そして、エリアＲ１〜Ｒ７それぞれには、子局３０およびスピーカ４０が設けられている（エリアＲ１には、子局３０−１およびスピーカ４０−１が設けられ、エリアＲ２には、子局３０−２およびスピーカ４０−２が設けられ、・・・、エリアＲ７には、子局３０−７およびスピーカ４０−７が設けられている）。このように互いに異なる音声を出力する７つのスピーカ４０が所定の範囲内に設けられれば、必要な音声の声色の種類を７種類に抑えることが可能となる。しかし、所定の範囲内に存在するエリア、子局３０およびスピーカ４０それぞれの数は限定されない（複数であればよい）。
【００３１】
より具体的に、エリアＲ１（中央領域）およびエリアＲ２〜Ｒ７（６つの周辺領域）それぞれは、所定の形状（例えば、六角形）および所定の広さ（例えば、２つ以上離れたエリアからは音声が到達しない程度の広さ）に設定されるとよい。そして、スピーカ４０は、エリアＲ１（中央領域）およびエリアＲ２〜Ｒ７（６つの周辺領域）それぞれに存在してよい。かかる場合には、エリアＲ１に存在する人には、スピーカ４０−１〜４０−７それぞれから出力された音声が聞こえるが、その外側に存在するスピーカからの音声は聞こえないと考えられるため、必要な音声の声色の種類を７種類に抑えることが可能となる。
【００３２】
以上、本発明の実施形態に係る放送システム１の構成例について説明した。
【００３３】
（２−１．親局の機能構成）
続いて、本発明の実施形態に係る親局２０の機能構成例について説明する。図２は、本発明の実施形態に係る親局２０の機能構成例を示すブロック図である。図２に示したように、本発明の実施形態に係る親局２０は、制御部２１０、記憶部２２０およびアンテナ２３０を備える。
【００３４】
制御部２１０は、親局２０の動作全体を制御する機能を有し、専用のハードウェアによって構成されてもよいし、親局２０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。例えば、制御部２１０は、入力装置１０からデータが入力されると、入力されたデータがアンテナ２３０によって送信されるようにアンテナ２３０を制御する。
【００３５】
記憶部２２０は、制御部２１０を動作させるためのプログラムやデータを記憶することができる。また、記憶部２２０は、制御部２１０の動作の過程で必要となる各種データを一時的に記憶することもできる。
【００３６】
アンテナ２３０は、無線信号を送信する機能を有している。アンテナ２３０は、制御部２１０による制御に従って、無線信号によりデータを送信する通信インタフェースである。なお、上記したように、アンテナ２３０の代わりに、有線信号によってデータを送信する通信インタフェースが用いられてもよい。
【００３７】
以上、本発明の実施形態に係る親局２０の機能構成例について説明した。
【００３８】
（２−２．子局の機能構成）
続いて、子局３０の機能構成例について説明する。図３は、子局３０の機能構成例を示すブロック図である。図３に示したように、子局３０は、アンテナ３１０、制御部３２０および記憶部３３０を備える。なお、上記したように、スピーカ４０は、子局３０に含まれていてもよい。
【００３９】
アンテナ３１０は、無線信号を受信する機能を有している。アンテナ３１０は、制御部３２０による制御に従って、無線信号によりデータを受信する通信インタフェースである。なお、上記したように、アンテナ３１０の代わりに、有線信号によってデータを受信する通信インタフェースが用いられてもよい。
【００４０】
制御部３２０は、子局３０の動作全体を制御する機能を有し、専用のハードウェアによって構成されてもよいし、子局３０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。例えば、制御部３２０は、アンテナ３１０によってデータが受信されると、アンテナ３１０によって受信されたデータに対応する音声がスピーカ４０から出力されるようにスピーカ４０を制御する。
【００４１】
記憶部３３０は、制御部３２０を動作させるためのプログラムやデータを記憶することができる。また、記憶部３３０は、制御部３２０の動作の過程で必要となる各種データを一時的に記憶することもできる。
【００４２】
以上、本発明の実施形態に係る子局３０の機能構成例について説明した。
【００４３】
（２−３．第１の例）
続いて、図４を参照しながら（適宜図１〜図３も参照しながら）、本発明の実施形態に係る放送システム１を実現するための「第１の例」について説明する。図４は、本発明の実施形態に係る放送システム１を実現するための第１の例の動作を示す図である。入力装置１０によって、操作者から入力された操作または発話に基づいて、テキストデータが生成されると、図４に示すように、親局２０は、入力装置１０からテキストデータを受信する（Ｓ１１）。
【００４４】
親局２０は、入力装置１０から受信されたテキストデータを、自局のアンテナ２３０によって子局３０−１〜３０−７それぞれに送信する（Ｓ１２）。続いて、子局３０−１〜３０−７それぞれは、親局２０のアンテナ２３０によって送信されたテキストデータを、自局のアンテナ３１０によって受信する（Ｓ２１−１〜Ｓ２１−７）。子局３０−１〜３０−７それぞれは、自局のアンテナ３１０によって受信されたテキストデータに基づいて、自局の制御部３２０によって互いに声色が異なる音声を合成する。例えば、子局３０−１〜３０−７それぞれは、互いに声色の異なる音声を合成するためのモジュールを記憶しており、そのモジュールを用いて音声を合成すればよい。
【００４５】
具体的に、子局３０−１は、自局の制御部３２０によって第１の声色の音声を合成し、子局３０−２は、自局の制御部３２０によって第１の声色とは異なる第２の声色の音声を合成し、・・・、子局３０−７は、第１の声色から第６の声色のいずれとも異なる第７の声色の音声を合成する（Ｓ２２−１〜Ｓ２２−７）。子局３０−１〜３０−７それぞれは、自局の制御部３２０によって、生成した音声が自局に固有のスピーカ４０から出力されるように制御する（Ｓ２３−１〜Ｓ２３−７）。
【００４６】
以上に説明した第１の例によれば、複数の子局３０にとって未知の放送内容（テキストデータ）が操作者によって入力されたとしても、複数の子局３０それぞれによって未知の放送内容（テキストデータ）から互いに声色の異なる音声が合成され得る。したがって、第１の例によれば、その時々の要求に応じて放送内容を複数の子局３０にとって未知の放送内容に変更したとしても、複数の子局３０それぞれに固有のスピーカ４０から、放送内容に対応する互いに声色の異なる音声が出力され得る。
【００４７】
以上、本発明の実施形態に係る放送システム１を実現するための第１の例の動作について説明した。
【００４８】
（２−４．第２の例）
続いて、図５を参照しながら（適宜図１〜図３も参照しながら）、本発明の実施形態に係る放送システム１を実現するための「第２の例」について説明する。図５は、本発明の実施形態に係る放送システム１を実現するための第２の例の動作を示す図である。入力装置１０によって、操作者から入力された操作または発話に基づいて、コードが生成されると、図５に示すように、親局２０は、入力装置１０からコードを受信する（Ｓ３１）。
【００４９】
親局２０は、入力装置１０から受信されたコードを、自局のアンテナ２３０によって子局３０−１〜３０−７それぞれに送信する（Ｓ３２）。続いて、子局３０−１〜３０−７それぞれは、親局２０のアンテナ２３０によって送信されたコードを、自局のアンテナ３１０によって受信する（Ｓ４１−１〜Ｓ４１−７）。子局３０−１〜３０−７それぞれは、自局のアンテナ３１０によって受信されたコードに対応する互いに声色が異なる音声を、自局の制御部３２０によって取得する。例えば、子局３０−１〜３０−７それぞれは、互いに声色の異なる音声をコードに対応付けて記憶していればよい。
【００５０】
具体的に、子局３０−１は、自局の制御部３２０によって第１の声色の音声を取得し、子局３０−２は、自局の制御部３２０によって第１の声色とは異なる第２の声色の音声を取得し、・・・、子局３０−７は、第１の声色から第６の声色のいずれとも異なる第７の声色の音声を取得する（Ｓ４２−１〜Ｓ４２−７）。子局３０−１〜３０−７それぞれは、自局の制御部３２０によって、取得した音声が自局に固有のスピーカ４０から出力されるように制御する（Ｓ４３−１〜Ｓ４３−７）。
【００５１】
以上に説明した第２の例によれば、複数の子局３０それぞれによって、既知の放送内容に対応する互いに声色の異なる音声が記憶されており、放送内容を識別するための情報（コード）が受信されると、コードに対応する互いに声色の異なる音声が取得され得る。したがって、第２の例によれば、複数の子局３０それぞれにおいて音声を合成する時間を省略して、複数の子局３０それぞれに固有のスピーカ４０から、放送内容に対応する互いに声色の異なる音声が出力され得る。
【００５２】
以上、本発明の実施形態に係る放送システム１を実現するための第２の例の動作について説明した。
【００５３】
（３．本発明の実施形態の有効性）
本発明の実施形態によれば、親局２０と複数の子局３０と複数の子局３０それぞれに有のスピーカ４０とを有する放送システム１であって、親局２０は、入力装置１０から入力されたデータを複数の子局３０それぞれに送信し、複数の子局３０それぞれは、親局２０からデータを受信し、受信したデータに対応する互いに声色が異なる音声が固有のスピーカ４０から出力されるように制御する、放送システム１が提供される。
【００５４】
かかる構成によれば、かかる構成によれば、複数のスピーカ４０それぞれから音声が出力される場合であっても、音声を聞くタイミングが遅くなってしまうことを回避しつつ、音声から放送内容を認識しやすくすることが可能となる。
【００５５】
一例として、上記した第１の例によれば、親局２０と複数の子局３０と複数の子局３０それぞれに有のスピーカ４０とを有する放送システム１であって、親局２０は、入力装置１０から入力されたテキストデータを複数の子局３０それぞれに送信し、複数の子局３０それぞれは、親局２０からテキストデータを受信し、受信したテキストデータに基づいて互いに声色が異なる音声を合成し、合成した音声が固有のスピーカ４０から出力されるように制御する、放送システム１が提供される。
【００５６】
かかる構成によれば、複数の子局３０にとって未知の放送内容（テキストデータ）が操作者によって入力されたとしても、複数の子局３０それぞれによって未知の放送内容（テキストデータ）から互いに声色の異なる音声が合成され得る。したがって、かかる構成によれば、その時々の要求に応じて放送内容を複数の子局３０にとって未知の放送内容に変更したとしても、複数の子局３０それぞれに固有のスピーカ４０から、放送内容に対応する互いに声色の異なる音声が出力され得る。
【００５７】
また、上記した第２の例によれば、親局２０と複数の子局３０と複数の子局３０それぞれに有のスピーカ４０とを有する放送システム１であって、親局２０は、入力装置１０から入力されたコードを複数の子局３０それぞれに送信し、複数の子局３０それぞれは、親局２０からコードを受信し、受信したコードに対応する互いに声色が異なる音声を取得し、取得した音声が固有のスピーカ４０から出力されるように制御する、放送システム１が提供される。
【００５８】
かかる構成によれば、複数の子局３０それぞれによって、既知の放送内容に対応する互いに声色の異なる音声が記憶されており、親局２０から放送内容を識別するための情報（コード）が受信されると、コードに対応する互いに声色の異なる音声が取得され得る。したがって、第２の例によれば、複数の子局３０それぞれにおいて音声を合成する時間を省略して、複数の子局３０それぞれに固有のスピーカ４０から、放送内容に対応する互いに声色の異なる音声が出力され得る。
【００５９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６０】
１      放送システム
１０    入力装置
１１０  アンテナ
２０    親局
２１０  制御部
２２０  記憶部
２３０  アンテナ
３０    子局
３１０  アンテナ
３２０  制御部
３３０  記憶部
４０    スピーカ
【図１】
2020036138.tif 000003
【図２】
2020036138.tif 000004
【図３】
2020036138.tif 000005
【図４】
2020036138.tif 000006
【図５】
2020036138.tif 000007